(57)【要約】【課題】  折り曲げ溝に沿って折り曲げ溝入りシートを折り曲げて包装ケース等を製造する場合において、その折り曲げが容易に行えると共に、折り曲げ箇所におけるざらつき感が少なくなるようにする。【解決手段】  シート１０に折り曲げ溝１１が形成された折り曲げ溝入りシートＡ１〜Ａ４において、上記の折り曲げ溝として、溝底部が溝の幅方向にＶ字状になった深い溝部１１ａと浅い溝部１１ｂとを溝の長さ方向に沿って交互に連続するように形成すると共に、上記の深い溝部の溝底部と浅い溝部の溝底部とが垂直な段部がないようにして溝の長さ方向に沿って連続させた。【選択図】  図１
2006168087.tif 000002
【特許請求の範囲】
【請求項１】
シートに折り曲げ溝が形成された折り曲げ溝入りシートにおいて、上記の折り曲げ溝として、溝底部が溝の幅方向にＶ字状になった深い溝部と浅い溝部とを溝の長さ方向に沿って交互に連続するように形成すると共に、上記の深い溝部の溝底部と浅い溝部の溝底部とが垂直な段部がないようにして溝の長さ方向に沿って連続させたことを特徴とする折り曲げ溝入りシート。
【請求項２】
請求項１に記載した折り曲げ溝入りシートにおいて、上記の深い溝部の溝底部と浅い溝部の溝底部とが溝の長さ方向に沿って滑らかな曲線状に連続するように形成されていることを特徴とする折り曲げ溝入りシート。
【請求項３】
請求項１又は請求項２に記載した折り曲げ溝入りシートにおいて、上記の溝の幅方向にＶ字状になった溝底部の切込角度が、上記の深い溝部から浅い溝部に向かって増加していることを特徴とする折り曲げ溝入りシート。
【請求項４】
シートに折り曲げ溝を形成する折り曲げ溝切込み用カッタにおいて、その先端部が三角状になった刃先を、その長さ方向に沿って垂直な段部がないようにして山部と谷部とが交互に連続するように形成したことを特徴とする折り曲げ溝切込み用カッタ。
【請求項５】
請求項４に記載した折り曲げ溝切込み用カッタにおいて、上記の山部における刃先と谷部における刃先とが、長さ方向に沿って滑らかな曲線状に連続するように形成されていることを特徴とする折り曲げ溝切込み用カッタ。
【請求項６】
請求項４又は請求項５に記載した折り曲げ溝切込み用カッタにおいて、上記の三角状になった刃先の刃先角が、上記の山部から谷部に向かって増加していることを特徴とする折り曲げ溝切込み用カッタ。
【発明の詳細な説明】
【技術分野】
【０００１】
この発明は、各種のプラスチックシート等に折り曲げ溝が形成された折り曲げ溝入りシート及びこのような折り曲げ溝を切込むのに使用する折り曲げ溝切込み用カッタに係り、折り曲げ溝に沿ってシートを容易に折り曲げることかできると共に、その折り曲げ箇所におけるざらつき感が少なくなるようにした点に特徴を有するものである。
【背景技術】
【０００２】
プラスチック等で構成された包装ケース等を製造するにあたり、従来より、プラスチックシート等に折り曲げ溝が形成された折り曲げ溝入りシートを用い、これを折り曲げ溝に沿って折り曲げて、包装ケース等を組み立てることが行われている。
【０００３】
そして、上記のような折り曲げ溝入りシートとしては、その折り曲げ溝として、折り曲げ性を向上させるために、その長さ方向に沿って深い凹溝部と浅い凹溝部とが一定した溝幅で交互に設けられ、浅い凹溝部における長さ方向の断面が山形になるようにしたものや、長さ方向の断面が山形状になった浅い凹溝部と谷形状になった凹溝部とが溝の長さ方向に連続して形成され、溝底部の形状が波形状になるようにしたものが提案されている（例えば、特許文献１参照。）。
【０００４】
ここで、上記の折り曲げ溝入りシートにおいては、上記の折り曲げ溝の溝底部がその幅方向に平坦になった凹溝になっているため、この折り曲げ溝に沿って折り曲げ溝入りシートを折り曲げることが困難で、折り曲げるのに大きな力が必要になると共に、折り曲げた際に、深い凹溝部や浅い凹溝部の溝底部にひび割れが生じ、折り曲げ箇所がざらついて、折り曲げ箇所の感触が悪くなるという問題があった。
【０００５】
また、上記のような折り曲げ溝入りシートにおいて、その折り曲げ溝として、溝底部が溝の幅方向にＶ字状になった深い溝と浅い溝とを、溝の長さ方向に沿って交互に断続的に形成したものも提案されている（例えば、特許文献２参照。）。
【０００６】
しかし、この折り曲げ溝入りシートにおいても、Ｖ字状の深い溝とＶ字状の浅い溝とが垂直な段部を有する段差状に形成されているため、この折り曲げ溝に沿って折り曲げ溝入りシートを折り曲げる場合にも大きな力が必要になり、またこの折り曲げ箇所において、深い溝と浅い溝との段差が明確に現れたり、浅い溝の部分が割れたりして、折り曲げ箇所がざらつき、折り曲げ箇所の感触が悪くなるという問題があった。
【特許文献１】特開２００１−２９３７７７号公報
【特許文献２】特開２００３−１４５６５４号公報
【発明の開示】
【発明が解決しようとする課題】
【０００７】
この発明は、シートに折り曲げ溝が形成された折り曲げ溝入りシートを用い、この折り曲げ溝入りシートを折り曲げ溝に沿って折り曲げて、包装ケース等を製造する場合における上記のような問題を解決することを課題とするものである。
【０００８】
すなわち、この発明においては、折り曲げ溝に沿って折り曲げ溝入りシートを折り曲げて包装ケース等を製造する場合において、その折り曲げが容易に行えると共に、折り曲げ箇所におけるざらつき感が少なくなるようにすることを課題とするものである。
【課題を解決するための手段】
【０００９】
この発明における折り曲げ溝入りシートにおいては、上記のような課題を解決するため、シートに折り曲げ溝が形成された折り曲げ溝入りシートにおいて、上記の折り曲げ溝として、溝底部が溝の幅方向にＶ字状になった深い溝部と浅い溝部とを溝の長さ方向に沿って交互に連続するように形成すると共に、上記の深い溝部の溝底部と浅い溝部の溝底部とが垂直な段部がないようにして溝の長さ方向に沿って連続させるようにしたのである。
【００１０】
ここで、上記のように深い溝部の溝底部と浅い溝部の溝底部とが垂直な段部がないようにして溝の長さ方向に連続させるにあたっては、上記の深い溝部の溝底部と浅い溝部の溝底部とが溝の長さ方向に滑らかな曲線状になって連続するように形成することが好ましく、また溝の幅方向にＶ字状になった溝底部の切込角度を、上記の深い溝部から浅い溝部に向かって増加させることが好ましい。
【００１１】
また、この発明における折り曲げ溝切込み用カッタにおいては、上記の折り曲げ溝入りシートにおける折り曲げ溝を形成するため、その先端部が三角状になった刃先を、その長さ方向に沿って垂直な段部がないようにして山部と谷部とが交互に連続するように形成したのである。
【００１２】
また、上記のように折り曲げ溝における深い溝部の溝底部と浅い溝部の溝底部とが滑らかな曲線状に連続するように形成するにあたっては、上記の山部における刃先と谷部における刃先とが、長さ方向に沿って滑らかな曲線状に連続するように形成する。
【００１３】
また、上記のように折り曲げ溝における溝の幅方向にＶ字状になった溝底部の切込角度を、上記の深い溝部から浅い溝部に向かって増加させるようにするにあたっては、上記の三角状になった刃先の刃先角を、上記の山部から谷部に向かって増加させるようにする。
【発明の効果】
【００１４】
この発明における折り曲げ溝入りシートにおいては、上記のように折り曲げ溝を、溝底部が溝の幅方向にＶ字状になった深い溝部と浅い溝部とを溝の長さ方向に沿って交互に連続するようにして形成したため、溝底部が平坦になった凹溝からなる折り曲げ溝を形成した従来の折り曲げ溝入りシートに比べて、折り曲げ溝に沿ってこの折り曲げ溝入りシートを容易に折り曲げることができるようになると共に、折り曲げた際に、深い溝部や浅い溝部の溝底部にひび割れが生じるのも抑制され、折り曲げ箇所がざらつくのも防止される。
【００１５】
また、この発明における折り曲げ溝入りシートにおいては、上記のように溝底部が溝の幅方向にＶ字状になった深い溝部と浅い溝部とが溝の長さ方向に沿って交互に連続するように形成すると共に、上記の深い溝部の溝底部と浅い溝部の溝底部とを垂直な段部がないようにして溝の長さ方向に連続させたため、Ｖ字状の深い溝とＶ字状の浅い溝とが垂直な段部を有する段差状になった折り曲げ溝を形成した従来の折り曲げ溝入りシートに比べても、折り曲げ溝に沿ってこの折り曲げ溝入りシートを容易に折り曲げることができるようになると共に、折り曲げた場合に、この折り曲げ箇所において深い溝と浅い溝との段差が明確に現れたり、浅い溝の部分が割れたりするのも防止され、折り曲げ箇所がざらつくのが防止される。
【００１６】
また、上記のように折り曲げ溝における深い溝部の溝底部と浅い溝部の溝底部とが溝の長さ方向に沿って滑らかな曲線状になって連続するように形成すると、この折り曲げ溝入りシートを折り曲げ溝に沿って折り曲げた場合に、折り曲げ箇所に、このように彎曲したなだらかな部分が現れ、折り曲げ箇所がざらつくのがより一層防止される。
【００１７】
また、折り曲げ溝におけるＶ字状になった溝底部の切込角度を、上記の深い溝部から浅い溝部に向かって増加させると、この折り曲げ溝入りシートを折り曲げ溝に沿って折り曲げた場合に、折り曲げ箇所における深い溝部と浅い溝部との差が目立たなくなって、折り曲げ箇所がざらつくのがより一層防止される。
【００１８】
また、この発明における折り曲げ溝切込み用カッタにおいては、上記のようにその先端部が三角状になった刃先を、その長さ方向に沿って垂直な段部がないようにして山部と谷部とを長さ方向に沿って交互に連続するように形成したため、この折り曲げ溝切込み用カッタを用いてシートに折り曲げ溝を切り込むと、溝底部がＶ字状になった深い溝部と浅い溝部とが溝の長さ方向に沿って交互に連続するように形成されると共に、上記の深い溝部の溝底部と浅い溝部の溝底部とが垂直な段部がないようにして溝の長さ方向に沿って連続した上記の折り曲げ溝をシートに簡単に形成することができ、上記の折り曲げ溝入りシートを簡単に製造できるようになる。
【発明を実施するための最良の形態】
【００１９】
以下、この発明の実施形態に係る折り曲げ溝入りシート及び折り曲げ溝切込み用カッタを添付図面に基づいて具体的に説明する。なお、この発明に係る折り曲げ溝入りシート及び折り曲げ溝切込み用カッタは、特に下記の実施形態に示したものに限定されるものではなく、その要旨を変更しない範囲において適宜変更して実施できるものである。
【００２０】
（実施形態１）
実施形態１に係る折り曲げ溝入りシートＡ１においては、図１（Ａ）〜（Ｃ）に示すように、シート１０に、溝底部が谷形状に彎曲した深い溝部１１ａと、溝底部が山形状に彎曲した浅い溝部１１ｂとが、溝の長さ方向に沿って交互に連続した折り曲げ溝１１が形成されており、深い溝部１１ａの溝底部と浅い溝部１１ｂの溝底部とが垂直な段部がなく、溝の長さ方向に沿って滑らかな曲線状になって連続し、折り曲げ溝１１の溝底部が全体として溝の長さ方向に沿って滑らかな波形状になっている。
【００２１】
また、折り曲げ溝１１の溝底部は溝の幅方向にＶ字状に切り込まれており、この溝底部の切込角度は、上記の深い溝部１１ａから浅い溝部１１ｂに向かって徐々に増加している。
【００２２】
そして、上記の折り曲げ溝１１が外側にくるようにして、この折り曲げ溝入りシートＡ１を上記の折り曲げ溝１１に沿って折り曲げると、この折り曲げ溝１１の溝底部がＶ字状になっているため、この折り曲げ溝入りシートＡ１が簡単に折り曲げ溝１１に沿って折り曲げられるようになると共に、この折り曲げ箇所に、上記のように垂直な段部がなく溝の長さ方向に沿って連続して波形状になった滑らかな折り曲げ溝１１の溝底部が現れ、折り曲げ箇所のざらつきが非常に少なくなる。
【００２３】
また、この実施形態の折り曲げ溝入りシートＡ１を製造するにあたっては、シート１０に上記の折り曲げ溝１１を形成する折り曲げ溝切込み用カッタＢ１として、図２及び図３（Ａ）〜（Ｃ）に示すように、その先端部が三角状になった刃先２１が、その長さ方向に沿って山形状に彎曲した山部２１ａと谷形状に彎曲した谷部２１ｂとが交互に連続して滑らかな曲線状になった波形状に形成されると共に、この刃先２１の刃先角が上記の山部２１ａの頂部から谷部２１ｂの底部に向かって徐々に増加するように形成されたものを用いるようにする。
【００２４】
そして、この折り曲げ溝切込み用カッタＢ１を用いてシート１０に折り曲げ溝１１を切り込むと、刃先２１における上記の山形状に彎曲した山部２１ａにより、溝底部が谷形状に彎曲した深い溝部１１ａが形成されると共に、上記の谷形状に彎曲した谷部２１ｂにより、溝底部が山形状に彎曲した浅い溝部１１ｂが形成され、深い溝部１１ａと浅い溝部１１ｂとが溝の長さ方向に沿って交互に連続し、溝底部が垂直な段部がない滑らかな曲線状に連続した波形状になると共に、溝底部の切込角度が、上記の深い溝部１１ａから浅い溝部１１ｂに向かって徐々に増加した折り曲げ溝１１が形成されるようになる。
【００２５】
なお、上記の折り曲げ溝切込み用カッタＢ１において、上記の刃先２１の刃先角を上記の山部２１ａの頂部から谷部２１ｂの底部に向かって徐々に増加させるのではなく、長さ方向に直線状になった刃先角の小さい刃先を形成した後、この直線状になった刃先に対して、刃先角が大きくなるように面取りを行って谷部２１ｂを形成することも可能である。この場合、山部２１ａの頂部以外の面取りされた部分の刃先角は大きくなる。また、これに対応してシート１０に形成された折り曲げ溝１１も、上記の深い溝部１１ａの底部における切込角度だけが小さくなり、その他の部分の切込角度は大きくなる。
【００２６】
（実施形態２）
実施形態２に係る折り曲げ溝入りシートＡ２においては、図４（Ａ）〜（Ｃ）に示すように、シート１０に、溝底部が谷形状に彎曲した深い溝部１１ａと、溝底部が略台形状に彎曲した浅い溝部１１ｂとが、溝の長さ方向に沿って交互に連続した折り曲げ溝１１が形成されており、深い溝部１１ａの溝底部と浅い溝部１１ｂの溝底部とが垂直な段部がなく、溝の長さ方向に沿って滑らかな曲線状になって連続した形状になっている。
【００２７】
また、この実施形態における折り曲げ溝入りシートＡ２においても、折り曲げ溝１１の溝底部は溝の幅方向にＶ字状に切り込まれており、この溝底部の切込角度は、上記の深い溝部１１ａから浅い溝部１１ｂに向かって徐々に増加している。
【００２８】
そして、この折り曲げ溝入りシートＡ２においても、上記のように折り曲げ溝１１が外側にくるようにして折り曲げると、この折り曲げ溝１１の溝底部がＶ字状になっているため、この折り曲げ溝入りシートＡ２が簡単に折り曲げ溝１１に沿って折り曲げられるようになると共に、この折り曲げ箇所に、上記のように垂直な段部がなく溝の長さ方向に沿って滑らかな曲線状になって連続した折り曲げ溝１１の溝底部が現れ、折り曲げ箇所のざらつきが非常に少なくなる。
【００２９】
また、この実施形態の折り曲げ溝入りシートＡ２を製造するにあたっては、シート１０に上記の折り曲げ溝１１を形成する折り曲げ溝切込み用カッタＢ２として、図５（Ａ）〜（Ｃ）に示すように、その先端部が三角状になった刃先２１が、その長さ方向に沿って山形状に彎曲した山部２１ａと略逆台形状に彎曲した谷部２１ｂとが、垂直な段部がないようにして交互に連続した滑らかな曲線状に形成されると共に、この刃先２１の刃先角が上記の山部２１ａの頂部から谷部２１ｂの底部に向かって徐々に増加するように形成されたものを用いるようにする。
【００３０】
そして、この折り曲げ溝切込み用カッタＢ２を用いてシート１０に折り曲げ溝１１を切り込むと、刃先２１における上記の山形状に彎曲した山部２１ａにより、溝底部が谷形状に彎曲した深い溝部１１ａが形成されると共に、上記の略逆台形状に彎曲した谷部２１ｂにより、溝底部が略台形状に彎曲した浅い溝部１１ｂが形成され、深い溝部１１ａと浅い溝部１１ｂとが溝の長さ方向に沿って交互に連続し、溝底部が垂直な段部がない滑らかな曲線状になって連続した形状に形成されると共に、溝底部の切込角度が上記の深い溝部１１ａから浅い溝部１１ｂに向かって徐々に増加した折り曲げ溝１１が形成されるようになる。
【００３１】
なお、上記の折り曲げ溝切込み用カッタＢ２においても、上記の折り曲げ溝切込み用カッタＢ１と同様に、刃先２１の刃先角を上記の山部２１ａの頂部から谷部２１ｂの底部に向かって徐々に増加させるのではなく、長さ方向に直線状になった刃先角の小さい刃先を形成した後、この直線状になった刃先に対して、刃先角が大きくなるように面取りを行って谷部２１ｂを形成することも可能であり、この場合も、山部２１ａの頂部以外の面取りされた部分の刃先角は大きくなる。また、これに対応してシート１０に形成された折り曲げ溝１１も、上記の深い溝部１１ａの底部における切込角度だけが小さくなり、その他の部分の切込角度は大きくなる。
【００３２】
（実施形態３）
実施形態３に係る折り曲げ溝入りシートＡ３においては、図６（Ａ）〜（Ｃ）に示すように、シート１０に、溝底部が略逆台形状に彎曲した深い溝部１１ａと、溝底部が略台形状に彎曲した浅い溝部１１ｂとが、溝の長さ方向に沿って交互に連続した折り曲げ溝１１が形成されており、深い溝部１１ａの溝底部と浅い溝部１１ｂの溝底部とが垂直な段部がなく溝の長さ方向に沿って滑らかな曲線状になって連続した形状になっている。
【００３３】
また、この実施形態における折り曲げ溝入りシートＡ３においても、折り曲げ溝１１の溝底部は溝の幅方向にＶ字状に切り込まれており、この溝底部の切込角度は、上記の深い溝部１１ａから浅い溝部１１ｂに向かって徐々に増加している。
【００３４】
そして、この折り曲げ溝入りシートＡ３においても、上記のように折り曲げ溝１１が外側にくるようにして折り曲げると、この折り曲げ溝１１の溝底部がＶ字状になっているため、この折り曲げ溝入りシートＡ３が簡単に折り曲げ溝１１に沿って折り曲げられるようになると共に、この折り曲げ箇所に、上記のように垂直な段部がなく溝の長さ方向に沿って滑らかな曲線状になって連続した折り曲げ溝１１の溝底部が現れ、折り曲げ箇所のざらつきが非常に少なくなる。
【００３５】
また、この実施形態の折り曲げ溝入りシートＡ３を製造するにあたっては、シート１０に上記の折り曲げ溝１１を形成する折り曲げ溝切込み用カッタＢ３として、図７（Ａ）〜（Ｃ）に示すように、その先端部が三角状になった刃先２１が、その長さ方向に沿って略台形状に彎曲した山部２１ａと略逆台形状に彎曲した谷部２１ｂとが、垂直な段部がないようにして交互に連続して滑らかな曲線状に形成されると共に、この刃先２１の刃先角が上記の山部２１ａの頂部から谷部２１ｂの底部に向かって徐々に増加するように形成されたものを用いるようにする。
【００３６】
そして、この折り曲げ溝切込み用カッタＢ３を用いてシート１０に折り曲げ溝１１を切り込むと、刃先２１における上記の略台形状に彎曲した山部２１ａにより、溝底部が略逆台形状に彎曲した深い溝部１１ａが形成されると共に、上記の略逆台形状に彎曲した谷部２１ｂにより、溝底部が略台形状に彎曲した浅い溝部１１ｂが形成され、深い溝部１１ａと浅い溝部１１ｂとが溝の長さ方向に沿って交互に連続し、溝底部が垂直な段部がない滑らかな曲線状になって連続した形状に形成されると共に、溝底部の切込角度が上記の深い溝部１１ａから浅い溝部１１ｂに向かって徐々に増加した折り曲げ溝１１が形成されるようになる。
【００３７】
なお、上記の折り曲げ溝切込み用カッタＢ３においても、上記の折り曲げ溝切込み用カッタＢ１，Ｂ２と同様に、刃先２１の刃先角を上記の山部２１ａの頂部から谷部２１ｂの底部に向かって徐々に増加させるのではなく、長さ方向に直線状になった刃先角の小さい刃先を形成した後、この直線状になった刃先に対して、刃先角が大きくなるように面取りを行って谷部２１ｂを形成することも可能であり、この場合も、山部２１ａの頂部以外の面取りされた部分の刃先角は大きくなる。また、これに対応してシート１０に形成された折り曲げ溝１１も、上記の深い溝部１１ａの底部における切込角度だけが小さくなり、その他の部分の切込角度は大きくなる。
【００３８】
（実施形態４）
実施形態４に係る折り曲げ溝入りシートＡ４においては、図８（Ａ）〜（Ｃ）に示すように、溝底部が谷形状に彎曲した深い溝部１１ａ及び溝底部が略逆台形状に彎曲した深い溝部１１ａと、溝底部が山形状に彎曲した浅い溝部１１ｂ及び溝底部が略台形状に彎曲した浅い溝部１１ｂとが存在し、シート１０に、何れかの深い溝部１１ａと何れかの浅い溝部１１ｂとが溝の長さ方向に沿って交互に連続した折り曲げ溝１１が形成されており、深い溝部１１ａの溝底部と浅い溝部１１ｂの溝底部とが垂直な段部がなく滑らかな曲線状の形状になって連続した形状になっている。
【００３９】
また、この実施形態における折り曲げ溝入りシートＡ４においても、折り曲げ溝１１の溝底部は溝の幅方向にＶ字状に切り込まれており、この溝底部の切込角度は、上記の深い溝部１１ａから浅い溝部１１ｂに向かって徐々に増加している。
【００４０】
そして、この折り曲げ溝入りシートＡ４においても、上記のように折り曲げ溝１１が外側にくるようにして折り曲げると、この折り曲げ溝１１の溝底部がＶ字状になっているため、この折り曲げ溝入りシートＡ４が簡単に折り曲げ溝１１に沿って折り曲げられるようになると共に、この折り曲げ箇所に、上記のように垂直な段部がなく溝の長さ方向に沿って滑らかな曲線状の形状になって連続した折り曲げ溝１１の溝底部が現れ、折り曲げ箇所のざらつきが非常に少なくなる。
【００４１】
また、この実施形態の折り曲げ溝入りシートＡ４を製造するにあたっては、シート１０に上記の折り曲げ溝１１を形成する折り曲げ溝切込み用カッタＢ４として、図９（Ａ）〜（Ｃ）に示すように、その先端部が三角状になった刃先２１がその長さ方向に沿って山形状に彎曲した山部２１ａ及び略台形状に彎曲した山部２１ａの何れかの山部２１ａと、谷形状に彎曲した谷部２１ｂ及び略逆台形状に彎曲した谷部２１ｂの何れかの谷部２１ｂとが、垂直な段部がないようにして交互に連続して滑らかな曲線状に形成されると共に、この刃先２１の刃先角が上記の山部２１ａの頂部から谷部２１ｂの底部に向かって徐々に増加するように形成されたものを用いるようにする。
【００４２】
そして、この折り曲げ溝切込み用カッタＢ４を用いてシート１０に折り曲げ溝１１を切り込むと、刃先２１における上記の山形状に彎曲した山部２１ａにより、溝底部が谷形状に彎曲した深い溝部１１ａが形成されると共に、上記の略台形状に彎曲した山部２１ａにより、溝底部が略逆台形状に彎曲した深い溝部１１ａが形成され、また上記の谷形状に彎曲した谷部２１ｂにより、溝底部が山形状に彎曲した浅い溝部１１ｂが形成されると共に、上記の略逆台形状に彎曲した谷部２１ｂにより、溝底部が略台形状に彎曲した浅い溝部１１ｂが形成され、深い溝部１１ａと浅い溝部１１ｂとが溝の長さ方向に沿って交互に連続し、溝底部が垂直な段部がない滑らかな曲線状になって連続した形状に形成されると共に、溝底部の切込角度が上記の深い溝部１１ａから浅い溝部１１ｂに向かって徐々に増加した折り曲げ溝１１が形成されるようになる。
【００４３】
なお、上記の折り曲げ溝切込み用カッタＢ４においても、上記の折り曲げ溝切込み用カッタＢ１〜Ｂ３と同様に、刃先２１の刃先角を上記の山部２１ａの頂部から谷部２１ｂの底部に向かって徐々に増加させるのではなく、長さ方向に直線状になった刃先角の小さい刃先を形成した後、この直線状になった刃先に対して、刃先角が大きくなるように面取りを行って谷部２１ｂを形成することも可能であり、この場合も、山部２１ａの頂部以外の面取りされた部分の刃先角は大きくなる。また、これに対応してシート１０に形成された折り曲げ溝１１も、上記の深い溝部１１ａの底部における切込角度だけが小さくなり、その他の部分の切込角度は大きくなる。
【００４４】
また、この発明における上記のような折り曲げ溝入りシートＡ１〜Ａ４において、シート１０としては、例えば、ポリ塩化ビニル、ポリエチレン、ポリプロピレン、ポリエステル、ポリカーボネートなどの単体又は複合体からなる各種のプラスチックシートの他に厚紙などを用いることができる。
【００４５】
また、この発明における上記のような折り曲げ溝切込み用カッタＢ１〜Ｂ４を製造するにあたっては、上記のような刃先２１を、エンドミルなどを用いて加工することができる。また、折り曲げ溝切込み用カッタＢ１〜Ｂ４を製造する際、上記したように、長さ方向に直線状になった刃先角の小さい刃先を形成した後、この直線状になった刃先に対して、刃先角が大きくなるように面取りを行って谷部２１ｂを形成する方法を採用すると、刃先の形成を簡単に行え、カッタを簡単に製造することができる。
【図面の簡単な説明】
【００４６】
【図１】この発明の実施形態１に係る折り曲げ溝入りシートを示し、（Ａ）は概略平面図、（Ｂ）は折り曲げ溝部分の溝方向の概略断面図、（Ｃ）は溝と直交する方向の概略断面図である。
【図２】実施形態１に係る折り曲げ溝入りシートを製造するのに使用した折り曲げ溝切込み用カッタの斜視図である。
【図３】実施形態１に係る折り曲げ溝入りシートを製造するのに使用した折り曲げ溝切込み用カッタを示し、（Ａ）は概略正面図、（Ｂ）は概略平面図、（Ｃ）は刃先の状態を示したカッタの幅方向の概略断面図である。
【図４】この発明の実施形態２に係る折り曲げ溝入りシートを示し、（Ａ）は概略平面図、（Ｂ）は折り曲げ溝部分の溝方向の概略断面図、（Ｃ）は溝と直交する方向の概略断面図である。
【図５】実施形態２に係る折り曲げ溝入りシートを製造するのに使用した折り曲げ溝切込み用カッタを示し、（Ａ）は概略正面図、（Ｂ）は概略平面図、（Ｃ）は刃先の状態を示したカッタの幅方向の概略断面図である。
【図６】この発明の実施形態３に係る折り曲げ溝入りシートを示し、（Ａ）は概略平面図、（Ｂ）は折り曲げ溝部分の溝方向の概略断面図、（Ｃ）は溝と直交する方向の概略断面図である。
【図７】実施形態３に係る折り曲げ溝入りシートを製造するのに使用した折り曲げ溝切込み用カッタを示し、（Ａ）は概略正面図、（Ｂ）は概略平面図、（Ｃ）は刃先の状態を示したカッタの幅方向の概略断面図である。
【図８】この発明の実施形態４に係る折り曲げ溝入りシートを示し、（Ａ）は概略平面図、（Ｂ）は折り曲げ溝部分の溝方向の概略断面図、（Ｃ）は溝と直交する方向の概略断面図である。
【図９】実施形態４に係る折り曲げ溝入りシートを製造するのに使用した折り曲げ溝切込み用カッタを示し、（Ａ）は概略正面図、（Ｂ）は概略平面図、（Ｃ）は刃先の状態を示したカッタの幅方向の概略断面図である。
【符号の説明】
【００４７】
Ａ１〜Ａ４  折り曲げ溝入りシート
Ｂ１〜Ｂ４  折り曲げ溝切込み用カッタ
１０  シート
１１  折り曲げ溝
１１ａ  深い溝部
１１ｂ  浅い溝部
２１  刃先
２１ａ  山部
２１ｂ  谷部
【図１】
2006168087.tif 000003
【図２】
2006168087.tif 000004
【図３】
2006168087.tif 000005
【図４】
2006168087.tif 000006
【図５】
2006168087.tif 000007
【図６】
2006168087.tif 000008
【図７】
2006168087.tif 000009
【図８】
2006168087.tif 000010
【図９】
2006168087.tif 000011